【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ＩＣ設計図のカスタムレイアウトを容易にするための方法であって、前記方法は、
ＩＣ設計図における一組のネットに含まれる各ネットごとに、前記ネットに対応する、前記ＩＣ設計図のレイアウト内の一組の形状に、特異な色パターンを割当てるステップを含み、前記一組の形状に含まれる各形状は、前記ＩＣ設計図に基づいて製造可能なＩＣチップ内の物理的構造に対応し、
前記ＩＣ設計図のレイアウトを、ＩＣ設計ツールのグラフィカルユーザインターフェイス（ＧＵＩ）に表示するステップを含み、前記ＩＣ設計図のレイアウト内の各形状は、前記形状に割当てられた前記色パターンを用いて、前記ＩＣ設計ツールのＧＵＩに表示される、方法。
【請求項２】
一組のＧＵＩオブジェクトを、前記ＩＣ設計図のレイアウト内に、前記ＩＣ設計図のレイアウト内の形状を切断するために表示するステップをさらに含み、前記一組のＧＵＩオブジェクトに含まれる各ＧＵＩオブジェクトは、少なくとも１つの形状を切断することが可能な、前記ＩＣ設計図のレイアウト内の場所に対応し、２つのネット間のショートは、２つの特異な色パターンを用いて着色された、前記ＩＣ設計図のレイアウト内の隣合う２つの形状に対応し、
ユーザによって選択された各ＧＵＩオブジェクトごとに、前記選択されたＧＵＩオブジェクトに対応する場所において少なくとも１つの形状を切断するステップをさらに含む、請求項１に記載の方法。
【請求項３】
一組のＧＵＩオブジェクトを、前記ＩＣ設計図のレイアウト内に、電気的コンタクトを形成するために表示するステップをさらに含み、前記一組のＧＵＩオブジェクトに含まれる各ＧＵＩオブジェクトは、前記ＩＣ設計図のレイアウト内のある形状に対応し、
ユーザによって選択された各ＧＵＩオブジェクトに対応する各形状に、電気的コンタクトを形成するステップをさらに含む、請求項１に記載の方法。
【請求項４】
ユーザが対応するＧＵＩオブジェクトを選択することによって形成した電気的コンタクト間に、ルータを用いて電気的接続を形成するステップをさらに含む、請求項３に記載の方法。
【請求項５】
各色パターンは、色とパターンとの組合わせである、請求項１に記載の方法。
【請求項６】
コンピュータによって実行されたときに集積回路（ＩＣ）設計図のカスタムレイアウトを容易にするための方法を前記コンピュータに実行させる命令が格納された非一時的なコンピュータ読取可能な記憶媒体であって、前記方法は、
ＩＣ設計図における一組のネットに含まれる各ネットごとに、前記ネットに対応する、前記ＩＣ設計図のレイアウト内の一組の形状に、特異な色パターンを割当てるステップを含み、前記一組の形状に含まれる各形状は、前記ＩＣ設計図に基づいて製造可能なＩＣチップ内の物理的構造に対応し、
前記ＩＣ設計図のレイアウトを、ＩＣ設計ツールのグラフィカルユーザインターフェイス（ＧＵＩ）に表示するステップを含み、前記ＩＣ設計図のレイアウト内の各形状は、前記形状に割当てられた前記色パターンを用いて、前記ＩＣ設計ツールのＧＵＩに表示される、非一時的なコンピュータ読取可能な記憶媒体。
【請求項７】
一組のＧＵＩオブジェクトを、前記ＩＣ設計図のレイアウト内に、前記ＩＣ設計図のレイアウト内の形状を切断するために表示するステップをさらに含み、前記一組のＧＵＩオブジェクトに含まれる各ＧＵＩオブジェクトは、少なくとも１つの形状を切断することが可能な、前記ＩＣ設計図のレイアウト内の場所に対応し、２つのネット間のショートは、２つの特異な色パターンを用いて着色された、前記ＩＣ設計図のレイアウト内の隣合う２つの形状に対応し、
ユーザによって選択された各ＧＵＩオブジェクトごとに、前記選択されたＧＵＩオブジェクトに対応する場所において少なくとも１つの形状を切断するステップをさらに含む、請求項６に記載の非一時的なコンピュータ読取可能な記憶媒体。
【請求項８】
一組のＧＵＩオブジェクトを、前記ＩＣ設計図のレイアウト内に、電気的コンタクトを形成するために表示するステップをさらに含み、前記一組のＧＵＩオブジェクトに含まれる各ＧＵＩオブジェクトは、前記ＩＣ設計図のレイアウト内のある形状に対応し、
ユーザによって選択された各ＧＵＩオブジェクトに対応する各形状に、電気的コンタクトを形成するステップをさらに含む、請求項６に記載の非一時的なコンピュータ読取可能な記憶媒体。
【請求項９】
ユーザが対応するＧＵＩオブジェクトを選択することによって形成した電気的コンタクト間に、ルータを用いて電気的接続を形成するステップをさらに含む、請求項８に記載の非一時的なコンピュータ読取可能な記憶媒体。
【請求項１０】
各色パターンは、色とパターンとの組合わせである、請求項６に記載の非一時的なコンピュータ読取可能な記憶媒体。
【請求項１１】
マルチゲート素子のカスタムレイアウトを容易にするための方法であって、前記方法は、
マルチゲート素子を、ＩＣ設計レイアウト内に、前記マルチゲート素子の素子コンタクトが、一組の配線トラックに対して位置合わせされるように配置するステップを含み、前記ＩＣ設計レイアウト内の回路素子間の電気的接続は、配線トラックに沿ってルーティングされ、
前記マルチゲート素子の拡散領域を、前記拡散領域が一組のフィントラックに対して位置合わせされるように、前記素子コンタクトの場所に対して移動させるステップを含み、各マルチゲート素子の各フィンはフィントラック上に位置する、方法。
【請求項１２】
前記一組の配線トラックに含まれる隣合う配線トラックの間隔は第１の距離であり、前記一組のフィントラックに含まれる隣合うフィントラックの間隔は第２の距離である、請求項１１に記載の方法。
【請求項１３】
前記マルチゲート素子はフィン電界効果トランジスタ（ＦｉｎＦＥＴ）であり、前記第２の距離は前記第１の距離と異なる、請求項１２に記載の方法。
【請求項１４】
前記ＩＣ設計レイアウト内の形状を１つ以上の色パターンで着色するステップをさらに含み、互いに電気的に接続される予定の形状は、同一の色パターンを用いて着色される、請求項１１に記載の方法。
【請求項１５】
１つ以上のマルチゲート素子内の１つ以上の形状との電気的コンタクトを形成するために、グラフィカルユーザインターフェイス（ＧＵＩ）オブジェクトを前記ＩＣ設計レイアウト内に表示するステップをさらに含む、請求項１１に記載の方法。
【請求項１６】
ユーザによって選択された各ＧＵＩオブジェクトに電気的コンタクトを形成するステップをさらに含む、請求項１５に記載の方法。
【請求項１７】
前記ＩＣ設計レイアウト内の電気的コンタクト間に、ルータを用いて電気的接続を形成するステップをさらに含む、請求項１６に記載の方法。
【請求項１８】
前記マルチゲート素子内のポリシリコン形状を切断するために、グラフィカルユーザインターフェイス（ＧＵＩ）オブジェクトを前記ＩＣ設計レイアウト内に表示するステップをさらに含む、請求項１１に記載の方法。
【請求項１９】
ＧＵＩオブジェクトの場所で、前記マルチゲート素子内のポリシリコン形状を、前記ＧＵＩオブジェクトの選択を受けたことに応じて切断するステップをさらに含む、請求項１８に記載の方法。
【請求項２０】
前記マルチゲート素子はパラメータ化されたセルによって表わされ、前記パラメータ化されたセルは、ソース、ドレイン、およびゲート接続場所に関するパラメータと、素子寸法に関するパラメータとを含み、各パラメータの値は、前記第１の距離の倍数として特定される、請求項１２に記載の方法。